(57)【要約】【課題】潮の流れに対する追従性が優れるものであり、海底付近を活動範囲とする魚以外の魚種にも適する、釣り用緩衝具を提供することを課題とする。【解決手段】釣りの仕掛けの途中に設けられることにより、衝撃による糸切れなどを防止するための緩衝具１において、伸縮可能な素材からなる本体部２を有するものであり、この本体部２として、内部に閉じられた空間部２１を有する紐状体が用いられたものであり、本体部２の両端に、仕掛けの一部と接続するための接続部３が設けられた釣り用緩衝具を提供する。【選択図】          図１
2005304410.tif 000002
【特許請求の範囲】
【請求項１】
釣りの仕掛け（５）の途中に設けられることにより、衝撃による糸切れなどを防止するための緩衝具（１）において、
伸縮可能な素材からなる本体部（２）を有するものであって、
この本体部（２）として、内部に閉じられた空間部（２１）を有する紐状体が用いられたものであり、
本体部（２）の両端には、上記の仕掛け（５）の一部と接続するための接続部（３）が設けられたことを特徴とする釣り用緩衝具。
【請求項２】
上記の本体部（２）がポリウレタン樹脂製の中空筒状体からなることを特徴とする、請求項１に記載の釣り用緩衝具。
【請求項３】
上記の本体部（２）の横断面積に対する空間部（２１）の横断面積の比率である中空度が、１０％〜６０％であることを特徴とする、請求項２に記載の釣り用緩衝具。
【発明の詳細な説明】
【技術分野】
【０００１】
本願発明は、釣りの仕掛けに対して用いる緩衝具に関するものである。
【背景技術】
【０００２】
【特許文献１】登録実用新案第３０２６３４６号公報
【特許文献２】特開２００３−５２２８４号公報
【０００３】
従来より、釣りの仕掛けの途中に設けられる緩衝具１０１が用いられている。この緩衝具１０１は、図２（Ａ）に示すように、竿１０２から伸ばされた道糸１０３と、道糸１０３よりも細い糸であって、先端に釣り針１０４が結ばれたハリス１０５との間に配位されるものであり、魚が掛かった際の衝撃を緩和し、不用意なハリス１０５などの糸切れや糸の絡み、また魚の口が損傷することを防止するものである。
【発明の開示】
【発明が解決しようとする課題】
【０００４】
従来から存在していた緩衝具１０１の一例としては、特許文献１や特許文献２に記載されたものがあげられる。これは、ウレタン樹脂などからなる弾性を有する紐状体を用いたものであり、サルカンなどの接続金具を介して、一端側に道糸１０３を、他端側にハリス１０５を接続することができる。
【０００５】
しかし、この従来の緩衝具１０１は中実の紐状体が用いられており、比重が周囲の水よりも大きく、道糸１０３やハリス１０５に比べて太く重いものであったため、特に海釣りで使用する際、図２（Ａ）に示すように、下方へと沈もうとし、潮の流れへの追従性に劣るものであった。これにより、釣り針が図示矢印のように不自然に揺れ、魚に警戒心を起こさせることもあった。それ故、海底付近を活動範囲とする魚を対象とする、いわゆる底物にしか適さないものであった。
【０００６】
本願発明はこのことに鑑み、潮の流れに対する追従性が優れるものであり、底物以外の魚種にも適する、釣り用緩衝具を提供することを課題とする。
【課題を解決するための手段】
【０００７】
上記課題を解決するために、本願の請求項１に記載の発明は、釣りの仕掛け５の途中に設けられることにより、衝撃による糸切れなどを防止するための緩衝具１において、伸縮可能な素材からなる本体部２を有するものであって、この本体部２として、内部に閉じられた空間部２１を有する紐状体が用いられたものであり、本体部２の両端には、上記の仕掛け５の一部と接続するための接続部３が設けられたことを特徴とする釣り用緩衝具を提供する。
【０００８】
また、本願の請求項２に記載の発明は、上記の本体部２がポリウレタン樹脂製の中空筒状体からなることを特徴とする、請求項１に記載の釣り用緩衝具を提供する。
【０００９】
また、本願の請求項３に記載の発明は、上記の本体部２の横断面積に対する空間部２１の横断面積の比率である中空度が、１０％〜６０％であることを特徴とする、請求項２に記載の釣り用緩衝具を提供する。
【発明の効果】
【００１０】
本願発明の実施にあっては、内部に閉じられた空間部２１を有する紐状体が用いられたことにより、空間部２１に封入された空気によって緩衝具１自体が有する浮力により、潮の流れに対して柔軟に追従でき、海中の上層部や中層部を活動範囲とする魚種にも適したものとできる。また、緩衝具１が潮の流れに沿うため、仕掛け５に設けられた釣り針が従来のように不自然に揺れ、魚に警戒心を起こさせることもないため、魚を寄せやすく、釣果向上が期待できる。
【発明を実施するための最良の形態】
【００１１】
以下、図面に基づき本願発明の実施の形態の一例をとりあげて説明する。図１は、本例の緩衝具を示す図であり、図２（Ｂ）は本例の緩衝具の使用例を示す図である。
【００１２】
本願発明に係る緩衝具１は、図１に示すように、樹脂などの伸縮可能な素材からなる本体部２を有するものである。この本体部２としては、内部に閉じられた空間部２１を有する紐状体が用いられたものであって、本例では、図３（Ａ）に示すような、一端から他端まで空間部２１が貫通した、チューブ状の紐状体が用いられている。そして、本体部２の両端には、仕掛け５の一部と接続するための接続部３が設けられている。この接続部３は、本例では、本体部２と一体に設けられた環状部３１と、環状部３１に取り付けられた接続金具３２とからなるものである。
【００１３】
環状部３１は、このチューブ状の紐状体からなる本体部２の両端に形成されたものであって、本例では本体部２と一体とされている。この環状部３１において、紐状体の端部４が折り曲げられ、紐状体の側面と重ね合わされた部分４１が加熱溶着や接着剤によって接着されることにより、端部４に露出した空間部２１を塞がれ、外部（外気）と遮断されるように空間部２１が閉じられている。この際、図１に示すように、紐状体の端部４における端面を斜めにカットしておくと、環状部３１を段差なく形成可能であるため望ましい。なお、図３（Ｂ）〜（Ｃ）に示すような、当初から閉じられた空間部２１を有する紐状体を用いる場合においては、環状部３１の形成のみを行うためにのみ接着を行えば良く、端部４に露出した空間部２１を特に塞ぐ必要はない。
【００１４】
本例においては、上記の環状部３１に接続金具としてのサルカン３２が取り付けられている。具体的には、環状部３１が形成される前に、あらかじめ紐状体の端部４をサルカンの環状部分３２ａに通した状態とし、その状態で紐状体の端部４を折り返し、紐状体の側面にこの端部４を当接させて接着する。
上記のようにして空間部２１を閉じる際には、空間部２１に自然に空気が入った状態のまま端部４を溶着しても良いし、空間部２１に積極的に空気を充填し、その後空間部２１を閉じても良い。
なお、接続部３については、上記以外に、紐状体の端部４に金具を嵌合することによって、環状部３１を形成しても良い。更には、環状部３１を形成せず、サルカンなどの、道糸やハリスと接続するための接続金具を、インサート成型などによって、本体部２と一体となるように直接取り付けても良い。
【００１５】
本例の緩衝具１に用いられるチューブ状の紐状体は、原料の樹脂を溶融紡糸する際、中心に空気を吸い込ませることのできる口金を用いて押し出した上で、延伸することにより、図３（Ａ）に示すような中空の形態に製造される。用いる樹脂としては、ポリウレタン樹脂、特に、エーテル系ポリウレタン樹脂が、耐水性及び耐寒性の点から望ましい。
なお、本願発明において用いられる紐状体の断面形状や空間部２１の断面形状については、円形、楕円形、多角形など、種々の形態とできる。また、本例では本体部２も環状部３も同一の紐状体から形成されたものであるが、異種の素材を接続したものとしても良い。
【００１６】
なお、溶融紡糸する際において、原料の樹脂に公知の無機顔料あるいは有機顔料を添加・混合したり、溶融紡糸の後に公知の染料で染色することによって、紐状体を着色しても良い。なお、原料樹脂としてポリウレタン樹脂を用いる場合の染料としては、分散染料が望ましい。
【００１７】
ここで、本願発明における緩衝具の外径は、０．５mm〜６mmとし、道糸５１の号数など、仕掛け５の規模によって最適な外径を選択する。また、長さについては、短すぎると弾性が不足し、長すぎると仕掛け５全体のバランスが崩れて扱いにくくなるため、これを考慮して最適な長さを選択する。具体的には、外径の５倍〜１０００倍（２．５cm〜６ｍ）、望ましくは外径の２００倍〜７５０倍（１０cm〜４．５ｍ）、より望ましくは外径の２００倍（１０cm〜１．２ｍ）の範囲内とする。
そして、空間部２１については、長手方向に直交する断面での横断面積に対する空間部の横断面積の比率である中空度が１０％〜６０％、より望ましくは２０％〜５０％となるように形成する。なお、中空度が１０％未満であると浮力が不足し、６０％を超えると強度が低下するため、好ましくない。
【００１８】
このように緩衝具１において、少なくとも本体部２を、従来の中実のものと異なり、空間部２１を有するものとした分、比重は小さくなる。なお、海水の比重は１．０２３であって、本例の緩衝具１の比重はこれよりも小さい０．４〜１．０とされている。図２（Ａ）に示す従来のものは、相対的に比重の大きいものであったことにより、潮の流れに追従し難かったが、これに対し、本願発明の緩衝具は、図２（Ｂ）に示すように、スムーズに潮の流れ（図示矢印）に追従することが可能である。
これにより、本願発明に係る緩衝具１は、海底付近を活動範囲とする魚である底物はもちろん、海中の上層部や中層部を活動範囲とする魚にも適したものとでき、多魚種に対応できる。
【００１９】
なお、本例における本体部２は、図３（Ａ）に示すような、一端から他端まで空間部２１が貫通したチューブ状の紐状体を用いたが、紐状体の形態はこれに限られるものではなく、例えば、図３（Ｂ）に示すように、両端が当初から塞がれたものや、図３（Ｃ）に示すように、空間部２１が断続的に設けられたものや、更には、本体部２の内部に微小な空間部２１を分散させたものであっても良く、種々の形態のものが採用し得る。
また、本例では、本体部２を一定の外径を有するものとしたが、テーパ状など、外径を部分によって変化させたものとしても良い。
【００２０】
本例の緩衝具１の使用に当たっては、両端に設けられた接続部３の一部である接続金具３２のうち一端側に道糸５１を、他端側にはハリス５２を接続し、図３（Ｂ）に示すようにする。なお、ハリス５２の先端には釣り針５３が取り付けられている。道糸５１については、緩衝具１に直接取り付けても良いし、テンビンや錘などを挟んで間接的に取り付けても良い。
【００２１】
なお、本願発明に係る緩衝具１の仕掛け５への取り付けは、本例のように、道糸５１とハリス５２との間に配位するものに限られず、道糸５１を途中で途切れさせ、その部分にこの緩衝具１を挿入しても良い。また、竿６に直接道糸５１を接続する形式の仕掛け５の場合は、竿６と道糸５１との間に、この緩衝具１を挿入しても良い。
【図面の簡単な説明】
【００２２】
【図１】本例の緩衝具を示す説明図である。
【図２】（Ａ）は従来の緩衝具の使用例を示す図であり、（Ｂ）は本例の緩衝具の使用例を示す図である。
【図３】（Ａ）〜（Ｄ）とも、緩衝具の本体部の実施例を示す説明図である。
【符号の説明】
【００２３】
１        緩衝具
２        本体部
２１      空間部
３        接続部
５        仕掛け
【図１】
2005304410.tif 000003
【図２】
2005304410.tif 000004
【図３】
2005304410.tif 000005